(57)【要約】【課題】  従来のデジタルカメラでは、オペレータが実際に寸法を測って撮影したい対象物像の縦横寸法を手動で入力する必要があるため、設定するアスペクト比を撮影したい対象物像に最適な値にするのに手間がかかった。【解決手段】  モニタ１１に表示された矩形枠４３が対象物像４１ａの対象枠４２に合わせられ、対象枠４２に合わされた矩形枠４３の縦横比から対象枠４２のアスペクト比が取得されて、取得されたアスペクト比のマスク枠５１がモニタ１１に表示される。このため、対象枠４２に合わされた矩形枠４３の縦横比から対象枠４２のアスペクト比が自動的に取得されるため、従来と異なり、対象物像４１ａに最適なアスペクト比を容易に設定することができる。【選択図】  図４
2012019369.tif 000002
【特許請求の範囲】
【請求項１】
対象物像を撮像する撮像手段と、
前記撮像手段により撮像された前記対象物像を表示する表示手段と、
前記対象物像が表示された表示手段に矩形枠を表示する矩形枠表示制御手段と、
前記矩形枠表示制御手段により表示された前記矩形枠を前記対象物像の対象枠に合わせる枠合わせ手段と、
前記枠合わせ手段によって前記対象枠に合わされた前記矩形枠の縦横比から前記対象枠のアスペクト比を取得するアスペクト比取得手段と、
前記アスペクト比取得手段により取得されたアスペクト比のマスク枠を前記表示手段に表示するマスク枠表示制御手段と
を備える撮像装置。
【請求項２】
請求項１に記載の撮像装置において、
複数の所定アスペクト比を記憶する記憶手段を備え、
前記アスペクト比取得手段は、前記記憶手段に記憶された複数の前記所定アスペクト比の中から、取得した前記対象枠の前記アスペクト比に近い前記所定アスペクト比を前記対象枠のアスペクト比として取得することを特徴とする撮像装置。
【請求項３】
請求項１または請求項２に記載の撮像装置において、
前記マスク枠表示制御手段によって前記表示手段に表示された前記マスク枠の外側を任意の色でマスクして表示するマスク枠周囲表示制御手段を備えていることを特徴とする撮像装置。
【請求項４】
請求項１から請求項３のいずれか１項に記載の撮像装置において、
前記アスペクト比取得手段により取得されたアスペクト比を登録する登録手段を備えることを特徴とする撮像装置。
【請求項５】
請求項１から請求項４のいずれか１項に記載の撮像装置において、
前記枠合わせ手段は、前記対象枠を自動認識して前記矩形枠を前記対象枠に自動的に合わせることを特徴とする撮像装置。
【請求項６】
請求項５に記載の撮像装置において、
前記枠合わせ手段は、前記対象枠が平行でない辺を有する四角形である場合、前記四角形の４辺のうちから平行に近い２辺を基準に前記矩形枠を前記対象枠に合わせることを特徴とする撮像装置。
【請求項７】
請求項１から請求項６のいずれか１項に記載の撮像装置において、
前記撮像手段へ被写体光を導く光学系と、
前記光学系の焦点距離を調節する焦点距離調節手段と、
前記焦点距離調節手段により前記対象物に合わされた前記光学系の焦点距離および前記矩形枠の大きさから前記対象枠の実寸法を算出する実寸法算出手段と、
前記アスペクト比取得手段により取得されたアスペクト比および前記実寸法算出手段により算出された実寸法に基づいて前記対象物像のプリントサイズを決定するプリントサイズ決定手段とを備えることを特徴とする撮像装置。
【請求項８】
請求項７に記載の撮像装置において、
前記プリントサイズ決定手段により決定されたプリントサイズから前記撮像手段により撮像される前記対象物像の解像度を決定する解像度決定手段を備えることを特徴とする撮像装置。
【請求項９】
請求項１から請求項８のいずれか１項に記載の撮像装置において、
前記マスク枠表示制御手段により前記表示手段に表示された前記マスク枠の中における任意の異形枠を特定する異形枠特定手段と、
前記異形枠特定手段によって特定された異形枠を異形マスク枠として前記表示手段に表示する異形マスク枠表示制御手段を備えることを特徴とする撮像装置。
【請求項１０】
請求項９に記載の撮像装置において、
前記表示手段の表示面に配置されてタッチ操作を検出するタッチパネルを備え、
前記異形枠特定手段は、前記タッチパネルでなぞられた形状の前記異形枠を特定することを特徴とする撮像装置。
【請求項１１】
請求項９または請求項１０に記載の撮像装置において、
前記表示手段に表示された前記異形枠の外側を任意の色でマスクして表示する異形マスク枠周囲表示制御手段を備えることを特徴とする撮像装置。
【請求項１２】
請求項１から請求項１１のいずれか１項に記載の撮像装置において、
前記撮像手段へ被写体光を導く光学系と、
前記光学系の焦点距離を調節する焦点距離調節手段と、
前記撮像手段により前記対象物像を撮像する際、前記焦点距離調節手段によって調節される前記光学系の焦点距離を、前記対象物像の歪曲が最も少ない距離に調節する歪曲調整制御手段とを備えることを特徴とする撮像装置。
【請求項１３】
請求項１から請求項１２のいずれか１項に記載の撮像装置において、
被写体を照明する光源と、
前記撮像手段により前記対象物像を撮像する際に前記光源の発光を禁止する発光禁止制御手段とを備えることを特徴とする撮像装置。
【発明の詳細な説明】
【技術分野】
【０００１】
本発明は、対象物像を撮像する撮像手段と、撮像された対象物像を表示する表示手段とを備えた撮像装置に関する。
【背景技術】
【０００２】
従来、この種の撮像装置としては、例えば、特許文献１に開示されたデジタルカメラがある。このデジタルカメラでは、撮影時にプリスキャンと呼ばれる比較的解像度の低いスキャンニング処理が行われる。その後、得られたプリスキャン画面上において、オペレータが画像の縦横寸法を入力手段から入力することにより、入力された寸法のアスペクト比のトリミング矩形枠が画面上に表示される。オペレータは、このアスペクト比が守られて表示されるトリミング矩形枠を拡大、縮小、移動操作して、適切なトリミング矩形枠を設定し、このトリミング矩形枠内を高精細な解像度で本スキャンすることにより、所望の出力画像が得られる。
【先行技術文献】
【特許文献】
【０００３】
【特許文献１】特開平９−１３０５７４号公報
【発明の概要】
【発明が解決しようとする課題】
【０００４】
しかしながら、上記従来のデジタルカメラでは、オペレータが実際に寸法を測って撮影したい対象物像の縦横寸法を手動で入力する必要があるため、設定するアスペクト比を撮影したい対象物像に最適な値にするのに手間がかかった。また、この手間を嫌って撮影したい対象物像のアスペクト比を感覚に頼って設定し、撮影した対象物像を印刷すると、画像の横長さまたは縦長さがプリント用紙からはみ出して切り落とされてしまい、撮影した対象物像をオペレータが望むようにプリントすることができない。
【課題を解決するための手段】
【０００５】
本発明はこのような課題を解決するためになされたもので、
対象物像を撮像する撮像手段と、
撮像手段により撮像された対象物像を表示する表示手段と、
対象物像が表示された表示手段に矩形枠を表示する矩形枠表示制御手段と、
矩形枠表示制御手段により表示された矩形枠を対象物像の対象枠に合わせる枠合わせ手段と、
枠合わせ手段によって対象枠に合わされた矩形枠の縦横比から対象枠のアスペクト比を取得するアスペクト比取得手段と、
アスペクト比取得手段により取得されたアスペクト比のマスク枠を表示手段に表示するマスク枠表示制御手段と
を備えて、撮像装置を構成した。
【０００６】
本構成によれば、矩形枠表示制御手段により表示された矩形枠が対象物像の対象枠に枠合わせ手段により合わせられ、対象枠に合わされた矩形枠の縦横比から対象枠のアスペクト比がアスペクト比取得手段により取得されて、取得されたアスペクト比のマスク枠がマスク枠表示制御手段により表示手段に表示される。このため、表示手段に表示された矩形枠が対象物像の対象枠に合わせられ、対象枠に合わされた矩形枠の縦横比から対象枠のアスペクト比が自動的に取得されるため、従来のように、撮影前に撮影したい対象物の寸法を測り、対象物の縦横寸法を手動入力する手間を要することなく、対象物に最適なアスペクト比を容易に設定することができる。従って、従来のように、撮影したい対象物のアスペクト比を感覚に頼って設定して撮影した対象物像を印刷することで、画像の横長さまたは縦長さがプリント用紙からはみ出して切り落とされてしまうこともなくなり、撮影した対象物像を撮影者が望むようにプリントすることができる。
【０００７】
また、本発明は、
複数の所定アスペクト比を記憶する記憶手段を備え、
アスペクト比取得手段が、記憶手段に記憶された複数の所定アスペクト比の中から、取得した対象枠のアスペクト比に近い所定アスペクト比を対象枠のアスペクト比として取得することを特徴とする。
【０００８】
本構成によれば、複数のアスペクト比を記憶手段に記憶しておくことで、アスペクト比取得手段により、記憶手段に記憶された複数の所定アスペクト比の中から、取得した対象枠のアスペクト比に近い所定アスペクト比が対象枠のアスペクト比として取得される。このため、対象物像の対象枠のアスペクト比に近い最適なアスペクト比が、記憶手段に記憶された複数の所定アスペクト比の中から自動的に決定されるため、各所定アスペクト比に対応してプリンタの印刷設定条件が予め用意されている場合、撮影した対象物像を最適なアスペクト比で容易にプリントすることができる。
【０００９】
また、本発明は、マスク枠表示制御手段によって表示手段に表示されたマスク枠の外側を任意の色でマスクして表示するマスク枠周囲表示制御手段を備えていることを特徴とする。
【００１０】
本構成によれば、マスク枠表示制御手段によって表示手段に表示されたマスク枠の外側は、マスク枠周囲表示制御手段により任意の色でマスクされて表示される。このため、撮影者は、表示手段に表示されたマスク枠の外側を任意の色でマスクして撮影することができるため、アスペクト比から外れる画像範囲を明瞭に認識できると共に、用いるマスク色で撮影撮影の興趣が増す。
【００１１】
また、本発明は、アスペクト比取得手段により取得されたアスペクト比を登録する登録手段を備えることを特徴とする。
【００１２】
本構成によれば、アスペクト比取得手段により取得されたアスペクト比は登録手段によって登録される。このため、登録したアスペクト比に対応してプリンタの印刷設定条件を保存しておくことで、再度同じ対象物を撮影する際、登録されたアスペクト比に対応して保存された印刷設定条件を用いて印刷することができるため、利便性が向上する。また、保存してある画像を登録したアスペクト比でトリミングすることで、登録されたアスペクト比に対応して保存された印刷設定条件を用いて容易に印刷することができる。また、新しいアスペクト比を登録することで、対象枠のアスペクト比により近い最適な所定アスペクト比をアスペクト比取得手段が検索して取得する検索機能が向上する。
【００１３】
また、本発明は、枠合わせ手段が、対象枠を自動認識して矩形枠を対象枠に自動的に合わせることを特徴とする。
【００１４】
本構成によれば、枠合わせ手段により、表示手段に表示された対象物像の対象枠が自動認識されて矩形枠が対象枠に自動的に合わせられるため、撮影者が手動で枠を合わせる手間が不要になって利便性が高まり、また、より正確に素速く対象枠に矩形枠を合わせられる。
【００１５】
また、本発明は、枠合わせ手段が、対象枠が平行でない辺を有する四角形である場合、四角形の４辺のうちから平行に近い２辺を基準に矩形枠を対象枠に合わせることを特徴とする。
【００１６】
本構成によれば、対象枠が平行でない辺を有する四角形である場合、枠合わせ手段により、四角形の４辺のうちから平行に近い２辺を基準に矩形枠が対象枠に合わせられる。このため、四角形の対象枠を正面から撮影できず、斜めから撮影して対象枠が平行でない辺を有する四角形として捉えられる場合などでも、枠合わせ手段によって自動的に対象枠に最適な矩形枠が合わされて決定されるため、利便性がより向上する。
【００１７】
また、本発明は、
撮像手段へ被写体光を導く光学系と、
光学系の焦点距離を調節する焦点距離調節手段と、
焦点距離調節手段により対象物に合わされた光学系の焦点距離および矩形枠の大きさから対象枠の実寸法を算出する実寸法算出手段と、
アスペクト比取得手段により取得されたアスペクト比および実寸法算出手段により算出された実寸法に基づいて対象物像のプリントサイズを決定するプリントサイズ決定手段とを備えることを特徴とする。
【００１８】
本構成によれば、アスペクト比取得手段により取得されたアスペクト比および実寸法算出手段により算出された対象枠の実寸法に基づいて、対象物像のプリントサイズがプリントサイズ決定手段により決定される。このため、アスペクト比取得手段により取得されたアスペクト比で撮影された対象物像は、プリントサイズ決定手段により決定されたプリントサイズで印刷されることにより、実寸法に近い印刷画像となる。従って、対象物が例えば額縁である場合、この印刷画をそのまま額縁に収めたりすることができて、撮影者が望む大きさの印刷画を容易に得ることができる。
【００１９】
また、本発明は、プリントサイズ決定手段により決定されたプリントサイズから撮像手段により撮像される対象物像の解像度を決定する解像度決定手段を備えることを特徴とする。
【００２０】
本構成によれば、解像度決定手段により、プリントサイズ決定手段により決定されたプリントサイズから、撮像手段により撮像される対象物像の解像度が決定される。このため、プリントサイズに対して過不足のない最適な画素数で撮影が行え、プリントサイズに最適な画素数より少ない画素数で撮影することによって、解像度が粗い印刷画ができてしまったりすることがなくなる。また、プリントサイズに最適な画素数より多い画素数で撮影することにより、印刷時に過剰な画像情報が切り捨てられてしまうのにもかかわらず、不必要に大きい画像情報が撮像装置に保存されてしまうこともなくなる。
【００２１】
また、本発明は、
マスク枠表示制御手段により表示手段に表示されたマスク枠の中における任意の異形枠を特定する異形枠特定手段と、
異形枠特定手段によって特定された異形枠を異形マスク枠として表示手段に表示する異形マスク枠表示制御手段を備えることを特徴とする。
【００２２】
本構成によれば、マスク枠表示制御手段により表示手段に表示されたマスク枠の中における任意の異形枠が異形枠特定手段により特定され、特定された異形枠が異形マスク枠として異形マスク枠表示制御手段により表示手段に表示される。このため、表示手段に表示された任意の異形枠を異形マスク枠として撮影することにより、対象物に最適なアスペクト比のマスク枠の中における所望の位置で所定の形状をした異形枠内に、画像を撮影することができる。
【００２３】
また、本発明は、表示手段の表示面に配置されてタッチ操作を検出するタッチパネルを備え、
異形枠特定手段が、タッチパネルでなぞられた形状の異形枠を特定することを特徴とする。
【００２４】
本構成によれば、タッチパネルでなぞられた形状の異形枠が異形枠特定手段により特定される。このため、撮影者は、タッチパネルに任意の異形枠をなぞることにより、所望の異形枠形状をした異形マスク枠を容易に特定することができる。
【００２５】
また、本発明は、表示手段に表示された異形枠の外側を任意の色でマスクして表示する異形マスク枠周囲表示制御手段を備えることを特徴とする。
【００２６】
本構成によれば、表示手段に表示された異形枠の外側は、異形マスク枠周囲表示制御手段により任意の色でマスクされて表示される。このため、撮影者は、表示手段に表示された異形枠の外側を任意の色でマスクして撮影することができるため、異形マスク枠から外れる範囲を明瞭に認識できると共に、用いるマスク色で撮影の興趣が増す。
【００２７】
また、本発明は、撮像手段へ被写体光を導く光学系と、光学系の焦点距離を調節する焦点距離調節手段と、撮像手段により対象物像を撮像する際、焦点距離調節手段によって調節される光学系の焦点距離を、対象物像の歪曲が最も少ない距離に調節する歪曲調整制御手段とを備えることを特徴とする。
【００２８】
本構成によれば、撮像手段により対象物像を撮像する際、焦点距離調節手段によって調節される光学系の焦点距離が、歪曲調整制御手段により対象物像の歪曲が最も少ない距離に調節される。このため、撮像手段により撮像されて表示手段に表示される対象物像の矩形状の対象枠は、歪みが低減される。従って、撮影者は、表示手段に表示される矩形状の対象枠に容易に矩形枠を合わせることができ、また、枠合わせ手段が対象枠を自動認識して矩形枠を対象枠に自動的に合わせ易くなる。
【００２９】
また、本発明は、
被写体を照明する光源と、
撮像手段により対象物像を撮像する際に光源の発光を禁止する発光禁止制御手段とを備えることを特徴とする。
【００３０】
本構成によれば、撮像手段により対象物像が撮像される際に、被写体を照明する光源の発光が発光禁止制御手段によって禁止される。このため、光源から出射された光が対象物の表面で反射してしまうことにより、対象物像の対象枠が認識し難くなることが防げる。
【発明の効果】
【００３１】
本発明による撮像装置によれば、上記のように、従来のように、撮影前に撮影したい対象物像の寸法を測り、対象物像の縦横寸法を手動入力する手間を要することなく、対象物像に最適なアスペクト比を容易に設定することができる。
【図面の簡単な説明】
【００３２】
【図１】本発明の一実施の形態によるデジタルカメラの外観の概略を示す正面斜視図および背面斜視図である。
【図２】図１に示すデジタルカメラの電気回路構成の概略を示すブロック図である。
【図３】図２に示す不揮発性メモリに記録されている、種々のプリントサイズとそのアスペクト比のデータの表図である。
【図４】図１に示すデジタルカメラのＣＰＵによって対象物のアスペクト比を取得するアスペクト比取得処理の概略を示すフローチャートである。
【図５】図４に示すアスペクト比取得処理の際に対象物像および矩形枠がモニタに表示されたデジタルカメラを示す図である。
【図６】図４に示すアスペクト比取得処理の際に矩形枠が対象枠に合わされてマスク枠が取得される過程がモニタに表示されたデジタルカメラを示す図である。
【図７】図１に示すデジタルカメラのＣＰＵによって、モニタに表示される異形枠の形状を取得する異形枠形状取得処理の概略を示すフローチャートである。
【図８】図７に示す異形枠形状取得処理の際に、異形枠を有する対象物像がモニタに表示されたデジタルカメラを示す図である。
【図９】図７に示す異形枠形状取得処理の際に異形枠がなぞられて異形マスク枠が取得される過程がモニタに表示されたデジタルカメラを示す図である。
【発明を実施するための形態】
【００３３】
次に、本発明による撮像装置をデジタルカメラに適用した場合における、本発明を実施するための一形態について説明する。
【００３４】
図１（ａ）は、この一実施の形態によるデジタルカメラ１の外観の概略を示す正面斜視図である。
【００３５】
デジタルカメラ１は、カメラボディ２と、このカメラボディ２の前面に設けられた撮影用のレンズ３とから構成される。レンズ３は沈胴位置から突出した突出位置にある。デジタルカメラ１の上面には、撮影用のシャッターボタンであるレリーズボタン４が設けられている。このレリーズボタン４の右方のカメラボディ２の上面には、操作されるとデジタルカメラ１の内部の各回路に動作電源を供給させる電源ボタン６が設けられている。また、カメラボディ２の正面から見て左上側には、対象物像が暗い場合に明るさを確保するためのフラッシュ５が備えられている。フラッシュ５は、被写体を照明する光源を構成する。
【００３６】
同図（ｂ）は、デジタルカメラ１の外観の概略を示す背面斜視図である。なお、同図（ｂ）において同図（ａ）と同一部分には同一符号を付してその説明は省略する。
カメラボディ２の背面にはモニタ１１が設けられている。モニタ１１は、ＴＦＴ（Thin Film Transistor）液晶などからなり、構図を確認するためのスルー画や、撮影情報などの各種情報を表示すると共に、撮影した画像を再生表示する。モニタ１１の表示面にはタッチパネル１２が配置されており、撮影者によるモニタ１１に対するタッチ操作は、タッチパネル１２により検出される。
【００３７】
モニタ１１の右側には、モードボタン１３，切換ボタン１４、十字ボタン１５、メニューボタン１６、および削除ボタン１７が設けられている。モードボタン１３は、画像の再生時に操作されることにより、再生モードメニューをモニタ１１に表示させ、撮影時に操作されることにより、撮影モードメニューをモニタ１１に表示させる。切換ボタン１４は、撮影モードと再生モードとを切り換える際に操作される。メニューボタン１６は、操作されることにより、デジタルカメラ１の設定を行う各種メニュー画面をモニタ１１に表示させる。削除ボタン１７は、撮影画像の再生中に操作されると再生画像データの削除確認画面をモニタ１１に表示させ、削除確認画面が表示されているときに再度操作されると再生画像のデータを削除させる。十字ボタン１５は、上下方向および左右方向といった操作方向を検出する方向キーからなり、デジタルカメラ１の各種設定を行うメニュー画面において、種々の設定項目の中から所望の設定項目を選択する際などに操作される。十字ボタン１５の中央には決定ボタン１８が設けられている。決定ボタン１８は、十字ボタン１５の操作によって選択された所望の設定項目を決定する際などに操作される。また、これらのボタンは、モニタ１１に表示されているメニュー画面などにおいて、モニタ１１のタッチパネル操作で代用することもできる。
【００３８】
図２は、デジタルカメラ１の電気回路構成の概略を示すブロック図である。
【００３９】
デジタルカメラ１は、ＣＰＵ（Central Processing Unit）２１、ＥＥＰＲＯＭ（Electrically Erasable Programmable Ｒead Ｏnly Ｍemory）などで構成される不揮発性メモリ２２、およびＲＡＭ（Random Access Memory）などで構成されるバッファメモリ２３を備えている。不揮発性メモリ２２には、ＣＰＵ２１が種々の制御を行う際に参照される制御プログラムなどが格納されている。ＣＰＵ２１は、不揮発性メモリ２２に格納されている制御プログラムに従い、バッファメモリ２３を一時記憶作業領域として回路各部の制御を行い、デジタルカメラ１の種々の装置機能を作動させる。
【００４０】
被写体からの光は、レンズ３を介してデジタルカメラ１内に取り込まれる。なお、レンズ３は、ズームレンズやフォーカスレンズを含む複数のレンズ群で構成されており、同図では１枚のレンズとして図示されている。デジタルカメラ１内に取り込まれた被写体光は、レンズ３の光軸上に配置された撮像部２５の撮像面２５ａ上に被写体像（対象物像）を投影する。レンズ３は、沈胴位置から突出位置へ移動自在に構成されて、撮像部２５へ被写体光を導く光学系を構成する。撮像面２５ａには受光素子が２次元配列されている。撮像部２５は、ＣＣＤ（Charge Coupled Device）やＣＭＯＳ（Complementary Metal Oxide Semiconductor）などからなり、撮像部２５の撮像面２５ａ上に結像した対象物像を撮像し、アナログの撮像信号に変換する。撮像部２５は、対象物像を撮像する撮像手段を構成する。撮像信号は、ＡＦＥ（アナログフロントエンド）回路２６によりゲイン調整が行われ、デジタル信号に変換される。
【００４１】
画像処理部２７は、ＡＦＥ回路２６でデジタル信号に変換された撮像信号を取得し、取得した撮像信号に対して、色補間処理、輪郭強調処理、ホワイトバランス処理などの画像処理を行い、撮影された画像の画像データを生成する。画像処理部２７によって生成された画像データは、圧縮処理が施されてバス２８を介してバッファメモリ２３に一時格納されると共に、モニタ１１にスルー画として表示される。モニタ１１は、撮像部２５により撮像された対象物像を表示する表示手段を構成する。また、モニタ１１の表示領域に対して行われるタッチ操作は、ＣＰＵ２１に接続されたタッチパネル１２によって検出される。
【００４２】
ＣＰＵ２１にはレリーズボタン４、電源ボタン６、および鏡筒駆動部３１が接続されている。レリーズボタン４は、半押しされるとオートフォーカス機能を作動させ、鏡筒駆動部３１によりレンズ３を移動させて焦点距離を自動調整し、全押しされると予め設定されたシャッター速度で図示しないシャッターを開かせ、被写体像を撮像部２５の撮像面２５ａに所定時間露光させて、被写体の撮影を行わせる。ＣＰＵ２１および鏡筒駆動部３１は、レンズ３の焦点距離を調節する焦点距離調節手段を構成する。撮影された画像データは、記録Ｉ／Ｆ部２９を介して、図示しないスロットに着脱されるメモリカード３０に記録される。また、電源ボタン６が操作されると、ＣＰＵ２１によってＤＣ電源回路３３が制御されて、撮像部２５の撮像動作に必要な各電気回路に電池３２の電力が供給される。
【００４３】
不揮発性メモリ２２には、図３に示すように、種々のプリントサイズとその縦横比（アスペクト比）を収めたデータが記録されている。不揮発性メモリ２２は、複数の所定アスペクト比を記憶する記憶手段を構成する。
【００４４】
一般的に、撮影可能な撮影画像のアスペクト比は、カメラが持つ撮像素子等の種類に応じて、限定されている。例えば、一眼レフの３５ミリ判フルサイズやＡＰＳ−Ｃサイズの撮像素子を備えたカメラの撮影画像の縦横比は、１：１．５０、コンパクトカメラの撮影画像の縦横比は、１：１．３３、ハイビジョンサイズの撮影画像の縦横比は、１：１．７８である。
【００４５】
図４は、デジタルカメラ１のＣＰＵ２１によって対象物のアスペクト比を取得するアスペクト比取得処理の概略を示すフローチャートである。
【００４６】
メニューボタン１６を操作してモニタ１１に表示させたメニュー画面で「アスペクト比取得メニュー」を撮影者が選択すると、ＣＰＵ２１は、ステップ（以下、Ｓと記す）１において、「アスペクト比取得メニュー」を実行する。この「アスペクト比取得メニュー」に移行すると、ＣＰＵ２１は、Ｓ２において、鏡筒駆動部３１を制御して、モニタ１１に表示される対象物像の歪曲が最も少ない焦点距離にレンズ３を移動させ、また、撮影時にフラッシュ５の発光を禁止する設定をする。なお、周囲が暗い場合には、ＣＰＵ２１は、撮影する際の撮像部２５の撮影感度をアップする。ＣＰＵ２１は、撮像部２５により対象物像を撮像する際、焦点距離調節手段によって調節されるレンズ３の焦点距離を、対象物像の歪曲が最も少ない距離に調節する歪曲調整制御手段を構成する。また、ＣＰＵ２１は、撮像部２５により対象物像を撮像する際にフラッシュ５の発光を禁止する発光禁止制御手段を構成する。その後、ＣＰＵ２１は、Ｓ３において、図５（ａ）に示すように、撮影者によって撮影される対象物４１の対象物像４１ａをモニタ１１にプレビュー表示する。なお、図５において図１と同一部分には同一符号を付してその説明は省略する。ここでの対象物４１は絵が飾られた額縁であるが、他の例として、写真立て、履歴書などの書類における写真枠、木製または発泡スチロール製等のパネル類、プリント用紙等がある。
【００４７】
次に、ＣＰＵ２１は、Ｓ４において、モニタ１１のプレビュー画面上に、図５（ｂ）に示すように、予め決められた大きさの矩形枠４３を表示する。ＣＰＵ２１は、対象物像４１ａが表示されたモニタ１１に矩形枠４３を表示する矩形枠表示制御手段を構成する。次に、モニタ１１に表示された矩形枠４３に対する十字ボタン１５を用いた撮影者の操作に応じて、ＣＰＵ２１は、Ｓ５において、矩形枠４３を拡大、縮小、移動させてモニタ１１に表示する。ＣＰＵ２１のこの表示制御により、矩形枠４３は、図６（ａ）に示すように対象物像４１ａの対象枠４２に合わせられる。なお、図６において図５と同一部分には同一符号を付してその説明は省略する。十字ボタン１５およびＣＰＵ２１は、矩形枠表示制御手段により表示された矩形枠４３を対象物像４１ａの対象枠４２に合わせる枠合わせ手段を構成する。次に、撮影者が決定ボタン１８を押すと、ＣＰＵ２１は、Ｓ６において、対象物４１に合焦させた焦点距離から得られる対象物４１までの距離情報と、Ｓ５で対象枠４２に合わされた矩形枠４３の画面上の寸法とから、対象枠４２の縦寸法および横寸法の実寸法、並びにアスペクト比を推算する。ＣＰＵ２１は、焦点距離調節手段により対象物４１に合わされたレンズ３の焦点距離および矩形枠４３の大きさから対象枠４２の実寸法を算出する実寸法算出手段を構成する。
【００４８】
次に、ＣＰＵ２１は、不揮発性メモリ２２に記憶されている、図３に示すプリントサイズとその縦横比（アスペクト比）のデータの中から、対象枠４２の算出したアスペクト比に近いアスペクト比のデータを検索する。そして、ＣＰＵ２１は、Ｓ７において、算出した対象枠４２のアスペクト比に近いアスペクト比のデータが見つかったか否かを判別する。算出した対象枠４２のアスペクト比に近いアスペクト比のデータが不揮発性メモリ２２から見つからず、Ｓ７の判別が“ＮＯ”の場合、ＣＰＵ２１は、Ｓ８において、算出した対象枠４２のアスペクト比を新アスペクト比とし、算出した実寸法および新アスペクト比の値をモニタ１１に表示する。一方、算出した対象枠４２のアスペクト比に近いアスペクト比のデータが見つかり、Ｓ７の判別が“ＹＥＳ”の場合、ＣＰＵ２１は、Ｓ９において、算出した実寸法と見つけ出した近似アスペクト比とのデータの値をモニタ１１に表示する。例えば、算出した対象枠４２のアスペクト比が１：１.４２の場合、モニタ１１には、近似アスペクト比として、プリントサイズがＬ版のアスペクト比１：１.４３、プリントサイズがＢ４のアスペクト比１：１.４１、およびプリントサイズがＡ４のアスペクト比１：１.４１が表示される。次に、ＣＰＵ２１は、Ｓ１０において、撮影者がモニタ１１に表示された複数の所定アスペクト比の中から１つを選択したか否かを判別する。撮影者がモニタ１１に表示された複数の所定アスペクト比の中から１つを選択せず、Ｓ１０の判別が“ＮＯ”の場合、または、Ｓ８の処理の後、ＣＰＵ２１は、Ｓ１１において、Ｓ６で算出した対象枠４２のアスペクト比を撮影者が新アスペクト比として取得するか否かを判別する。撮影者がＳ６で算出した対象枠４２のアスペクト比を新アスペクト比として取得せず、Ｓ１１の判別が“ＮＯ”の場合、ＣＰＵ２１は、Ｓ５の処理に戻る。
【００４９】
一方、撮影者がモニタ１１に表示された複数の近似アスペクト比の中から１つを選択して、Ｓ１０の判別が“ＹＥＳ”の場合、または、Ｓ６で算出した対象枠４２のアスペクト比を新アスペクト比として取得して、Ｓ１１の判別が“ＹＥＳ”の場合、ＣＰＵ２１は、Ｓ１２において、選択した近似アスペクト比または取得した新アスペクト比のマスク枠５１を、図６（ｂ）に示すようにそのアスペクト比を維持してモニタ１１に最大表示し、次に、図６（ｃ）に示すように、マスク枠５１の外側の領域５２を所定の色でマスクして表示する。このようにＣＰＵ２１は、不揮発性メモリ２２に記憶された複数の所定アスペクト比の中から、算出して取得した対象枠４２のアスペクト比に近い所定アスペクト比を対象枠４２のアスペクト比として取得する。ＣＰＵ２１は、枠合わせ手段によって対象枠４２に合わされた矩形枠４３の縦横比から対象枠４２のアスペクト比を取得するアスペクト比取得手段を構成する。また、ＣＰＵ２１は、アスペクト比取得手段により取得されたアスペクト比のマスク枠５１をモニタ１１に表示するマスク枠表示制御手段を構成する。なお、Ｓ１２の処理の際、マスク枠５１の外側の領域５２を所定の色でマスクしないでマスク枠５１のみを表示する構成にしてもよい。また、撮影者は、マスク枠５１の外側の領域５２の色を任意に選択できる。ＣＰＵ２１は、マスク枠表示制御手段によってモニタ１１に表示されたマスク枠５１の外側を任意の色でマスクして表示するマスク枠周囲表示制御手段を構成する。
【００５０】
次に、撮影者がレリーズボタン４を押すと、ＣＰＵ２１は、Ｓ１３において対象物像４１ａの撮影を実行する。この撮影では、マスク枠５１の内側の領域に撮影画像が得られ、メモリカード３０に保存される。なお、撮影画像は、メニュー画面における設定により、マスク枠５１の外側の領域もマスク枠５１と共に保存されたり、マスク枠５１の外側が任意の色でマスクされて保存される。また、撮影者は、所定の操作をすることで、Ｓ１１で取得した新アスペクト比を不揮発性メモリ２２に登録できる。この際、ＣＰＵ２１は、アスペクト比取得手段により取得されたアスペクト比を登録する登録手段を構成する。また、ＣＰＵ２１は、プリントサイズ決定手段を構成し、撮影画像のプリントサイズは、Ｓ１０で近似アスペクト比が選択された場合、不揮発性メモリ２２に記憶されたデータから決定される。また、Ｓ１１で新アスペクト比が取得された場合、ＣＰＵ２１は、アスペクト比取得手段により取得されたアスペクト比および実寸法算出手段により算出された実寸法に基づいて、対象物像４１ａのプリントサイズを決定する。
【００５１】
このような本実施形態によるデジタルカメラ１によれば、図４、Ｓ４で矩形枠表示制御手段によりモニタ１１に図５（ｂ）に示すように表示された矩形枠４３が、Ｓ５で、対象物像４１ａの対象枠４２に図６（ａ）に示すように枠合わせ手段により合わせられる。そして、Ｓ１０またはＳ１１で、対象枠４２に合わされた矩形枠４３の縦横比から対象枠４２のアスペクト比がアスペクト比取得手段により取得されて、Ｓ１２で、取得されたアスペクト比のマスク枠５１がマスク枠表示制御手段によりモニタ１１に図６（ｂ）に示すように表示される。このため、モニタ１１に表示された矩形枠４３が対象物像４１ａの対象枠４２に合わせられ、対象枠４２に合わされた矩形枠４３の縦横比から対象枠４２のアスペクト比が自動的に取得されるため、従来のように、撮影前に撮影したい対象物４１の寸法を測り、対象物４１の縦横寸法を手動入力する手間を要することなく、対象物４１に最適なアスペクト比を容易に設定することができる。従って、従来のように、撮影したい対象物４１のアスペクト比を感覚に頼って設定して撮影した対象物像４１ａを印刷することで、画像の横長さまたは縦長さがプリント用紙からはみ出して切り落とされてしまうこともなくなり、撮影した対象物像４１ａを撮影者が望むようにプリントすることができる。
【００５２】
また、本実施形態によるデジタルカメラ１によれば、複数のアスペクト比を不揮発性メモリ２２に図３に示すように記憶しておくことで、アスペクト比取得手段により、不揮発性メモリ２２に記憶された複数の所定アスペクト比の中から、Ｓ６で算出して取得した対象枠４２のアスペクト比に近い所定アスペクト比が対象枠４２のアスペクト比として、図４、Ｓ１０で取得される。このため、対象物像４１ａの対象枠４２のアスペクト比に近い最適なアスペクト比が、不揮発性メモリ２２に記憶された複数の所定アスペクト比の中から自動的に決定されるため、各所定アスペクト比に対応してプリンタの印刷設定条件が予め用意されている場合、撮影した対象物像４１ａを最適なアスペクト比で容易にプリントすることができる。
【００５３】
また、本実施形態によるデジタルカメラ１によれば、マスク枠表示制御手段によってモニタ１１に図６（ｃ）に示すよう表示されたマスク枠５１の外側の領域５２は、マスク枠周囲表示制御手段により任意の色でマスクされて表示される。このため、撮影者は、モニタ１１に表示されたマスク枠５１の外側の領域５２を任意の色でマスクして撮影することができるため、アスペクト比から外れる画像範囲を明瞭に認識できると共に、用いるマスク色で撮影撮影の興趣が増す。
【００５４】
また、本実施形態によるデジタルカメラ１によれば、アスペクト比取得手段により取得されたアスペクト比は登録手段によって登録される。このため、登録したアスペクト比に対応してプリンタの印刷設定条件を保存しておくことで、再度同じ対象物４１を撮影する際、登録されたアスペクト比に対応して保存された印刷設定条件を用いて印刷することができるため、利便性が向上する。また、メモリカード３０に保存してある画像を登録したアスペクト比でトリミングすることで、登録されたアスペクト比に対応して保存された印刷設定条件を用いて容易に印刷することができる。また、新しいアスペクト比を登録することで、対象枠４２のアスペクト比により近い最適な所定アスペクト比をアスペクト比取得手段が図４、Ｓ７で検索して取得する検索機能が向上する。
【００５５】
また、本実施形態によるデジタルカメラ１によれば、アスペクト比取得手段により取得されたアスペクト比および実寸法算出手段により算出された対象枠４２の実寸法に基づいて、対象物像４１ａのプリントサイズがプリントサイズ決定手段により決定される。このため、アスペクト比取得手段により取得されたアスペクト比で撮影された対象物像４１ａは、プリントサイズ決定手段により決定されたプリントサイズで印刷されることにより、実寸法に近い印刷画像となる。従って、対象物４１が例えば本実施形態のように額縁である場合、この印刷画をそのまま額縁に収めたりすることができて、撮影者が望む大きさの印刷画を容易に得ることができる。
【００５６】
また、本実施形態によるデジタルカメラ１によれば、撮像部２５により対象物像４１ａを撮像する際、焦点距離調節手段によって調節されるレンズ３の焦点距離が、歪曲調整制御手段により対象物像４１ａの歪曲が最も少ない距離に調節される。このため、撮像部２５により撮像されてモニタ１１に表示される対象物像４１ａの矩形状の対象枠４２は、歪みが低減される。従って、撮影者は、モニタ１１に表示される矩形状の対象枠４２に容易に矩形枠４３を合わせることができる。
【００５７】
また、本実施形態によるデジタルカメラ１によれば、撮像部２５により対象物像４１ａが撮像される際に、被写体を照明するフラッシュ５の発光が発光禁止制御手段によって禁止される。このため、フラッシュ５から出射された光が対象物４１の表面で反射してしまうことにより、対象物像４１ａの対象枠４２が認識し難くなることが防げる。
【００５８】
なお、本実施形態において、図４、Ｓ６で実寸法およびアスペクト比を算出した後、Ｓ７の近似アスペクト比検索処理を行うことなく、算出したアスペクト比をＳ８で表示して、Ｓ１１で新アスペクト比として取得するように構成してもよい。
【００５９】
また、本実施形態では、モニタ１１に表示された矩形枠４３を十字ボタン１５を用いて撮影者が自ら手動で拡大、縮小、移動して対象枠４２に合わせていたが、枠合わせ手段を構成するＣＰＵ２１が、対象枠４２を自動認識して矩形枠４３を対象枠４２に自動的に合わせる構成にしてもよい。
【００６０】
本構成によれば、枠合わせ手段により、モニタ１１に表示された対象物像４１ａの対象枠４２が自動認識されて矩形枠４３が対象枠４２に自動的に合わせられるため、撮影者が手動で枠を合わせる手間が不要になって利便性が高まり、また、より正確に素速く対象枠４２に矩形枠４３を合わせられる。また、この際、上述したようにレンズ３の焦点距離が、歪曲調整制御手段により対象物像４１ａの歪曲が最も少ない距離に調節されるため、枠合わせ手段が対象枠４２を自動認識して矩形枠４３を対象枠４２に自動的に合わせ易くなる。
【００６１】
また、上述した自動認識を行う際、枠合わせ手段を構成するＣＰＵ２１が、対象枠４２が平行でない辺を有する四角形である場合、四角形の４辺のうちから平行に近い２辺を基準に矩形枠４３を対象枠４２に合わせる構成であってもよい。
【００６２】
本構成によれば、対象枠４２が平行でない辺を有する四角形である場合、枠合わせ手段により、四角形の４辺のうちから平行に近い２辺を基準に矩形枠４３が対象枠４２に合わせられる。このため、四角形の対象枠４２を正面から撮影できず、斜めから撮影して対象枠４２が平行でない辺を有する四角形として捉えられる場合などでも、枠合わせ手段によって自動的に対象枠４２に最適な矩形枠４３が合わされて決定されるため、利便性がより向上する。
【００６３】
また、上述した自動認識を行う際、ＣＰＵ２１が枠として自動認識した複数の枠を対象枠４２の候補として順次モニタ１１に表示させて、トグル式に撮影者に選択させる構成にしてもよい。
【００６４】
また、ＣＰＵ２１は、プリントサイズ決定手段により決定されたプリントサイズから、撮像部２５により撮像される対象物像４１ａの解像度を決定する解像度決定手段を構成してもよい。
【００６５】
本構成によれば、解像度決定手段により、プリントサイズ決定手段により決定されたプリントサイズから、撮像部２５により撮像される対象物像４１ａの解像度が決定される。このため、プリントサイズに対して過不足のない最適な画素数で撮影が行え、プリントサイズに最適な画素数より少ない画素数で撮影することによって、解像度が粗い印刷画ができてしまったりすることがなくなる。また、プリントサイズに最適な画素数より多い画素数で撮影することにより、印刷時に過剰な画像情報が切り捨てられてしまうのにもかかわらず、不必要に大きい画像情報が撮像装置に保存されてしまうこともなくなる。
【００６６】
図７は、デジタルカメラ１のＣＰＵ２１によって、モニタ１１に表示される異形枠の形状を取得する異形枠形状取得処理の概略を示すフローチャートである。
【００６７】
メニューボタン１６を操作してモニタ１１に表示されたメニュー画面で「アスペクト比＋枠（形状）取得メニュー」を撮影者が選択すると、ＣＰＵ２１は、Ｓ２１において、「アスペクト比＋枠（形状）取得メニュー」を実行する。この際、モニタ１１には、図８（ａ）に示すように、額縁である対象物４１の対象物像４１ａが表示され、額縁の中に楕円状の異形枠６２が表示されている。なお、図８において図５および図６と同一部分には同一符号を付してその説明は省略する。この「アスペクト比＋枠（形状）取得メニュー」に移行すると、ＣＰＵは、Ｓ２２において、上述した図４のＳ２〜Ｓ１１のアスペクト比取得処理と同様の処理を行うことにより、対象物像４１ａの対象枠４２のアスペクト比を取得し、図８（ｂ）に示すように、取得したアスペクト比のマスク枠５１をモニタ１１に表示する。次に、撮影者が図９（ａ）に示すように対象枠４２をマスク枠５１に合わせてフレーミングし、モニタ１１に取得したい異形枠６２を表示させることで、ＣＰＵ２１は、Ｓ２３において異形枠６２を撮影する。次に、撮影者がモニタ１１に表示された異形枠６２の楕円形状に沿って、図９（ｂ）の矢印に示す方向にタッチパネル１２上をなぞることで、ＣＰＵ２１は、Ｓ２４において、タッチパネル１２上になぞられた形状を認識する。なお、図９において図８と同一部分には同一符号を付してその説明は省略する。この際、撮影者がタッチパネル１２を少しなぞることでＣＰＵ２１が楕円形状を自動認識するように構成してもよい。ＣＰＵ２１は、タッチパネル１２でなぞられた形状の異形枠６２を特定することで、マスク枠表示制御手段によりモニタ１１に表示されたマスク枠５１の中における任意の異形枠６２を特定する異形枠特定手段を構成する。
【００６８】
次に、ＣＰＵ２１は、Ｓ２５において、認識した形状をモニタ１１に表示する。次に、ＣＰＵ２１は、Ｓ２６において、モニタ１１に表示した形状が撮影者が意図したものか否かを判別する。モニタ１１に表示した形状が撮影者が意図したものではなく、Ｓ２６の判別が“ＮＯ”の場合、ＣＰＵは、Ｓ２４の処理に戻る。一方、モニタ１１に表示した形状が撮影者が意図したものであり、Ｓ２６の判別が“ＹＥＳ”の場合、ＣＰＵ２１は、Ｓ２７において、その形状の異形枠６２を異形マスク枠７１として取得し、図９（ｃ）に示すように、異形マスク枠７１の外側の領域７２を任意の色でマスクしてモニタ１１に表示する。ＣＰＵ２１は、異形枠特定手段によって特定された異形枠６２を異形マスク枠７１としてモニタ１１に表示する異形マスク枠表示制御手段を構成する。また、ＣＰＵ２１は、モニタ１１に表示された異形枠６２の外側を任意の色でマスクして表示する異形マスク枠周囲表示制御手段を構成する。
【００６９】
次に、撮影者が、モニタ１１に表示された異形マスク枠７１をマスクとして撮影したい被写体に合わせた後、レリーズボタン４を押すと、ＣＰＵ２１は、Ｓ２８において、撮影を行う。次に、ＣＰＵ２１は、Ｓ２９において、異形マスク枠７１の外側も撮影画像としてメモリカード３０に記録するか否かを判別する。この判別が“ＮＯ”の場合、ＣＰＵは、Ｓ３０において、異形マスク枠７１の外側を任意の色でマスクした撮影画像をメモリカード３０に記録する。一方、Ｓ２９の判別が“ＹＥＳ”の場合、ＣＰＵは、Ｓ３１において、異形マスク枠７１の外側の画像も異形マスク枠７１内の画像と同時に記録する通常の撮影画像としてメモリカード３０に記録する。
【００７０】
このような本実施形態によるデジタルカメラ１によれば、マスク枠表示制御手段によりモニタ１１に表示されたマスク枠５１の中における任意の異形枠６２が、図７、Ｓ２４〜Ｓ２６で異形枠特定手段により特定され、特定された異形枠６２が異形マスク枠７１としてＳ２７でモニタ１１に図９（ｃ）に示すように表示される。このため、モニタ１１に表示された任意の異形枠６２を異形マスク枠７１として撮影することにより、対象物４１に最適なアスペクト比のマスク枠５１の中における所望の位置で所定の形状をした異形枠６２内に、画像を撮影することができる。
【００７１】
また、本実施形態によるデジタルカメラ１によれば、タッチパネル１２でなぞられた形状の異形枠６２が異形枠特定手段により特定される。このため、撮影者は、タッチパネル１２に任意の異形枠６２をなぞることにより、所望の異形枠６２形状をした異形マスク枠７１を容易に特定することができる。
【００７２】
また、本実施形態によるデジタルカメラ１によれば、モニタ１１に表示された異形枠６２の外側の領域７２は、異形マスク枠周囲表示制御手段により任意の色でマスクされて表示される。このため、撮影者は、モニタ１１に表示された異形枠６２の外側の領域７２を任意の色でマスクして撮影することができるため、異形マスク枠７１から外れる範囲を明瞭に認識できると共に、用いるマスク色で撮影の興趣が増す。
【産業上の利用可能性】
【００７３】
上記実施形態においては、本発明の撮像装置をデジタルカメラに適用した場合について説明したが、ビデオカメラや、携帯電話機に内蔵されるカメラ等のその他の撮像装置にも適用することが可能である。このような撮像装置に本発明を適用した場合においても、上記実施形態と同様な作用効果が奏される。
【符号の説明】
【００７４】
１…デジタルカメラ
３…レンズ
５…フラッシュ
１１…モニタ
１２…タッチパネル
２１…ＣＰＵ
２２…不揮発性メモリ
２５…撮像部
４１…対象物
４１ａ…対象物像
４２…対象枠
４３…矩形枠
５１…マスク枠
６２…異形枠
７１…異形マスク枠
【図１】
2012019369.tif 000003
【図２】
2012019369.tif 000004
【図３】
2012019369.tif 000005
【図４】
2012019369.tif 000006
【図５】
2012019369.tif 000007
【図６】
2012019369.tif 000008
【図７】
2012019369.tif 000009
【図８】
2012019369.tif 000010
【図９】
2012019369.tif 000011